(57)【要約】【課題】  耐久性が高く、視認性を維持することができる、反射部材を備えたコンクリート境界ブロックを実現する。【解決手段】コンクリート境界ブロック１０は、コンクリート部材１５と、コンクリート部材１５に埋設された反射部材１１とから構成されている。反射部材１１は、格子状の貫通孔１２ａを有する枠部材１２と、この貫通孔１２ａに充填された透光性を有する樹脂部材１３と、樹脂部材１３に埋設され、樹脂部材１３に入射した光を反射する反射体１４と、を備えている。反射部材１１は、樹脂部材１３の表面１３ａが、コンクリート部材１５の上面１５ａとほぼ同じ高さで外部に露出するようにコンクリート部材１５に埋設されている。反射体１４は樹脂部材１３に埋設されているため、反射部材が道路標識材シートである場合などに比べて耐久性を高くすることができ、視認性を維持することができる。【選択図】  図１
0003143070.tif 000002
【実用新案登録請求の範囲】
【請求項１】
光を反射する反射部材が埋設されたコンクリート境界ブロックであって、前記反射部材は、格子状の貫通孔を有する枠部材と、前記枠部材の貫通孔に充填された透光性を有する樹脂部材と、前記樹脂部材に埋設され、前記樹脂部材に入射した光を反射する反射体と、を備え、前記枠部材は、格子状の貫通孔を形成する壁部の厚さが、一方の開口部から他方の開口部に向かって連続的に減少するように形成されており、前記反射部材は、前記枠部材の壁部の厚さが薄い側が外部に露出するように配置されていることを特徴とする請求項１に記載のコンクリート境界ブロック。
【請求項２】
前記枠部材は、ＦＲＰ（繊維強化プラスチック）製グレーチングから切り出して製造されたものであることを特徴とする請求項１に記載のコンクリート境界ブロック。
【請求項３】
前記反射部材は、薄板状の材料により形成されていることを特徴とする請求項１または請求項２に記載のコンクリート境界ブロック。
【請求項４】
前記反射体は、複数の小片を前記樹脂部材中に分散させてなることを特徴とする請求項１または請求項２に記載のコンクリート境界ブロック。
【請求項５】
前記反射体は、線状の材料により形成されていることを特徴とする請求項１または請求項２に記載のコンクリート境界ブロック。
【請求項６】
前記反射体は、綿状に形成されていることを特徴とする請求項５に記載のコンクリート境界ブロック。
【考案の詳細な説明】
【技術分野】
【０００１】
この考案は、光を反射する反射部材を備えたコンクリート境界ブロックに関する。
【背景技術】
【０００２】
従来から、道路の通行区分を明確にするために、例えば、車道と歩道との境界部などにコンクリート境界ブロックが設置されている。このようなコンクリート境界ブロックには、視認性を高めてコンクリート境界ブロックの位置を明示するために、表面に街灯や車両の前照灯の光を反射する反射体が設けられているものがある。例えば、特許文献１には、ガラスビーズなどを含有した熱可塑性の道路標識材シートを表面に溶融付着させたコンクリートブロックが開示されている。また、特許文献２では、道路に沿って付設される縁石本体の上面に隆起凸部を形成し、この隆起凸部の起立壁面部に光反射板を付設した道路用縁石が開示されている。
【特許文献１】特開２００５−１２６８９６号公報
【特許文献２】特開２００２−２１２９１２号公報
【考案の開示】
【考案が解決しようとする課題】
【０００３】
しかし、上述の技術においては、いずれもコンクリートブロックを製造した後に反射部材を表面に形成するため、強度、耐久性が低く、剥離などにより視認性が低下するおそれがあった。特許文献１に記載の技術では、道路標識材シートは、気温の変化や風雨などによる汚れにより劣化しやすく、耐久性が高くないという問題があった。また、特許文献２に記載の技術では、光反射板が、縁石本体の上面に突出形成された隆起凸部に形成されているため、光反射板が汚損しやすいという問題があった。
【０００４】
そこで、この考案では、耐久性が高く、視認性を維持することができる、反射部材を備えたコンクリート境界ブロックを実現することを目的とする。
【課題を解決するための手段】
【０００５】
この考案は、上記目的を達成するため、請求項１に記載の考案では、光を反射する反射部材が埋設されたコンクリート境界ブロックであって、前記反射部材は、格子状の貫通孔を有する枠部材と、前記枠部材の貫通孔に充填された透光性を有する樹脂部材と、前記樹脂部材に埋設され、前記樹脂部材に入射した光を反射する反射体と、を備え、前記枠部材は、格子状の貫通孔を形成する壁部の厚さが、一方の開口部から他方の開口部に向かって連続的に減少するように形成されており、前記反射部材は、前記枠部材の壁部の厚さが薄い側が外部に露出するように配置されている、という技術的手段を用いる。
【０００６】
請求項１に記載の考案によれば、反射体が枠部材の貫通孔に充填された樹脂部材に埋設されているため、反射部材が道路標識材シートである場合などに比べて耐久性を高くすることができ、視認性を維持することができる。また、枠部材は、貫通孔の一方の開口部から他方の開口部に向かって、板厚が減少するように形成されており、反射部材は、枠部材の板厚が薄い側が外部に露出するようにコンクリート境界ブロックに配置されているため、枠部材の外周面がコンクリート境界ブロック内で逆テーパー状となるので、反射部材がコンクリート境界ブロックから離脱しにくくなり、耐久性を高くすることができ、視認性を維持することができる。また、樹脂部材は枠部材より挿脱可能であるので、樹脂部材が汚損した場合には、樹脂部材のみを交換することができる。
【０００７】
請求項２に記載の考案では、請求項１に記載のコンクリート境界ブロックにおいて、前記枠部材は、ＦＲＰ（繊維強化プラスチック）製グレーチングから切り出して製造されたものである、という技術的手段を用いる。
【０００８】
請求項２に記載の考案のように、ＦＲＰ（繊維強化プラスチック）製グレーチングは、製造工程での離型のために、貫通孔を形成する壁部の厚さが、一方の開口部から他方の開口部に向かって連続的に減少するように形成されているため、本発明の枠部材として用いることができる。ＦＲＰは、例えば、ガラス繊維と樹脂材料の複合材料であるため、端材などを廃棄処理するためにコストがかかるとともに環境負荷が大きいが、ＦＲＰ製グレーチングの端材などを用いることにより、廃棄量を少なくすることができ、環境負荷を低減することができる。
【０００９】
請求項３に記載の考案では、請求項１または請求項２に記載のコンクリート境界ブロックにおいて、前記反射体は、薄板状の材料により形成されている、という技術的手段を用いる。
【００１０】
請求項３に記載の考案によれば、反射体は、薄板状の材料により形成されているため、光を反射する面の面積を大きくすることができるので、コンクリート境界ブロックを視認しやすくすることができる。
【００１１】
請求項４に記載の考案では、請求項１または請求項２に記載のコンクリート境界ブロックにおいて、前記反射体は、複数の小片を前記樹脂部材中に分散させてなる、という技術的手段を用いる。
【００１２】
請求項４に記載の考案によれば、樹脂部材に小片からなる反射体を分散させて埋設することができる。小片は乱雑な方向を向いているため、樹脂部材に入射した光を広い範囲に反射させることができるので、光源の位置にかかわらずコンクリート境界ブロックを視認しやすくすることができる。ここで、「小片」とは、粉状の材料も含む。
【００１３】
請求項５に記載の考案では、請求項１または請求項２に記載のコンクリート境界ブロックにおいて、前記反射体は、線状の材料により形成されている、という技術的手段を用いる。
【００１４】
請求項５に記載の考案のように、反射体を線状の材料により形成することもできる。
【００１５】
請求項６に記載の考案では、請求項５に記載のコンクリート境界ブロックにおいて、前記反射体は、綿状に形成されている、という技術的手段を用いる。
【００１６】
請求項６に記載の考案によれば、反射体の表面が乱雑な方向を向いているため、樹脂部材に入射した光を広い範囲に反射させることができるので、光源の位置にかかわらずコンクリート境界ブロックを視認しやすくすることができる。
【考案を実施するための最良の形態】
【００１７】
この考案に係るコンクリート境界ブロックの実施形態について、例えば歩道と車道とを区画するコンクリート境界ブロックを例に、図を参照して説明する。コンクリート境界ブロックは、長手方向が道路の境界に沿うように配置され、境界を表示するとともに、歩道と車道とを仕切る障害物として使用される。図１は、コンクリート境界ブロックの構造を示す説明図である。図１（Ａ）は、コンクリート境界ブロックを上方から見た斜視図であり、図１（Ｂ）は、図１（Ａ）のＡ−Ａ矢視断面図である。図２及び図３は、コンクリート境界ブロックの製造方法を示す断面図である。図４は、枠部材の形状の変更例を示すコンクリート境界ブロックを上面側から見た平面図である。なお、各図では、説明のために一部を拡大し、一部を省略して示している。
【００１８】
図１（Ａ）及び（Ｂ）に示すように、コンクリート境界ブロック１０は、コンクリート部材１５と、コンクリート部材１５に埋設された反射部材１１とから構成されている。
【００１９】
コンクリート部材１５は、縦断面が略四角形状の細長いブロック状に形成されており、外寸は、例えば、幅１２０〜１８０ｍｍ、高さ１２０〜２３０ｍｍ、長さ６００ｍｍである。
【００２０】
反射部材１１は、格子状の貫通孔１２ａを有する枠部材１２と、この貫通孔１２ａに充填された透光性を有する樹脂部材１３と、樹脂部材１３に埋設され、樹脂部材１３に入射した光を反射する反射体１４と、を備えている。反射部材１１は、樹脂部材１３の表面１３ａが、コンクリート部材１５の上面１５ａとほぼ同じ高さで外部に露出するようにコンクリート部材１５に埋設されている。
【００２１】
枠部材１２は、格子状の貫通孔１２ａが長手方向に連なった形状に形成されており、本実施形態では、１０個の貫通孔１２ａが設けられている。また、本実施形態では、枠部材１２は、ＦＲＰグレーチングから切り出された作製されたものである。ＦＲＰグレーチングは、格子状の充填溝が設けられた成形型にガラス繊維からなるロービングを敷設し、充填溝に樹脂を流し込んで作製する。ここで、固化成型されたＦＲＰを成形型から離型しやすくするために、充填溝には開口部から底部に向かって幅が狭くなるような傾斜が設けられている。そのため、ＦＲＰグレーチングは、貫通孔の一方の開口部から他方の開口部に向かって、壁部の厚さが連続的に減少するように成形される。
【００２２】
つまり、枠部材１２の壁部１２ｂは、貫通孔１２ａの一方の開口部１２ｄから他方の開口部１２ｅに向かって、厚さが連続的に減少している。ここで、本実施形態では、開口部１２ｄの１辺の長さが３３ｍｍ、開口部１２ｅの１辺の長さが３５ｍｍ、開口部１２ｄに隣接する壁部１２ｂの厚さが７ｍｍ、開口部１２ｅに隣接する壁部１２ｂの厚さが５ｍｍである。
【００２３】
枠部材１２は、コンクリート部材１５の内部に上面１５ａ側の板厚が薄くなるように、つまり、開口部１２ｅが外部に表出するように配置されている。これにより、枠部材１２の外周面１２ｃは、コンクリート部材１５の上面１５ａ側から見ると逆テーパー状になるため、コンクリート部材１５から枠部材１２が離脱することがない。また、樹脂部材１３は枠部材１２より挿脱可能であるので、樹脂部材１３が汚損した場合には、樹脂部材１３のみを交換することができる。
【００２４】
枠部材１２の貫通孔１２ａにはそれぞれ樹脂部材１３及び反射体１４が設けられている。樹脂部材１３は、透光性を有する樹脂、例えば、アクリル系樹脂により形成されている。ここで、樹脂部材１３は、透光性を備えていればよく、エポキシ系樹脂や各種着色を施した樹脂材料などにより形成することもできる。
【００２５】
反射体１４は、光を反射する薄板状の材料、例えば、アルミニウム箔などの金属箔により形成されており、樹脂部材１３の表面１３ａからわずかに内側、例えば、１〜２ｍｍ程度内側に、表面１３ａと略平行になるように樹脂部材１３に埋設されている。
【００２６】
このような構成のコンクリート境界ブロック１０によれば、樹脂部材１３に入射した光を反射体１４により反射し出射することができるのでコンクリート境界ブロック１０を視認しやすくすることができる。反射体１４は、薄板状の材料により形成されているため、光を反射する面の面積を大きくすることができるので、コンクリート境界ブロック１０を視認しやすくすることができる。
【００２７】
また、反射体１４が、枠部材１２の貫通孔１２ａに充填された樹脂部材１３に埋設されているため、反射部材が道路標識材シートである場合などに比べて耐久性を高くすることができ、視認性を維持することができる。
【００２８】
コンクリート境界ブロック１０の製造方法を説明する。まず、図２（Ａ）に示すように、ＦＲＰグレーチングから所定の形状に切り出した枠部材１２を用意し、壁部１２ｂが薄い側の開口部１２ｅを上にした状態で板上に載置し、上端から約２ｍｍの高さまで樹脂部材１３を形成する樹脂１３ｂを流し込む。
【００２９】
次に、図２（Ｂ）に示すように、反射体１４を樹脂１３ｂ上に載置し、枠部材１２の上端まで樹脂１３ｂを充填し、固化させて反射部材１１を作製する。
【００３０】
続いて、図３（Ａ）に示すように、コンクリート部材１５を成形するための上部が開口部した箱状の成形型２０を用意し、成形型２０の底面に、壁部１２ｂが薄い側の開口部１２ｅが下向きになるように反射部材１１を載置する。
【００３１】
そして、図３（Ｂ）に示すように、コンクリート部材１５を作製するためのコンクリートを成形型２０に流し込んで、硬化させ、成形型２０から外すことにより、コンクリート境界ブロック１０を製造することができる。
【００３２】
（変更例）
反射体１４の表面に不規則な凹凸部を形成してもよい。これによれば、樹脂部材１３に入射した光が凹凸部において乱反射するため、光源がどの方向にあっても光を反射することができるので、コンクリート境界ブロック１０を視認しやすくすることができる。
【００３３】
枠部材１２の貫通孔１２ａの数及び配置は任意であり、例えば、１個でもよいし、複数列、例えば、図４（Ａ）に示すように、幅方向に２個ずつ、長手方向に１０個ずつの計２０個設けることもできる。また、図４（Ｂ）に示すように、貫通孔１２ａを千鳥状に配置するなど、意匠を施すこともできる。
【００３４】
本実施形態では、反射部材１１をコンクリート部材１５の上面１５ａに埋設したが、側面に埋設して、側面の視認性を高めることもできる。
【００３５】
［最良の実施形態の効果］
（１）反射体１４が枠部材１２の貫通孔１２ａに充填された樹脂部材１３に埋設されているため、反射部材が道路標識材シートである場合などに比べて耐久性を高くすることができ、視認性を維持することができる。
また、枠部材１２は、貫通孔１２ａの一方の開口部１２ｄから他方の開口部１２ｅに向かって、板厚が減少するように形成されており、反射部材１１は、枠部材１２の板厚が薄い側が外部に露出するようにコンクリート境界ブロック１０に配置されているため、枠部材１２の外周面１２ｃがコンクリート境界ブロック内で逆テーパー状となるので、反射部材１１がコンクリート境界ブロック１０から離脱しにくくなり、耐久性を高くすることができ、視認性を維持することができる。また、樹脂部材１３は枠部材１２より挿脱可能であるので、樹脂部材１３が汚損した場合には、樹脂部材１３のみを交換することができる。
【００３６】
（２）ＦＲＰ（繊維強化プラスチック）製グレーチングは、製造工程での離型のために、貫通孔を形成する壁部の厚さが、一方の開口部から他方の開口部に向かって連続的に減少するように形成されているため、本発明の枠部材１２として好適に用いることができる。ＦＲＰは、例えば、ガラス繊維と樹脂材料の複合材料であるため、端材などを廃棄処理するためにコストがかかるとともに環境負荷が大きいが、ＦＲＰ製グレーチングの端材などを用いることにより、廃棄量を少なくすることができ、環境負荷を低減することができる。
【００３７】
（３）反射体１４は、薄板状の材料により形成されているため、光を反射する面の面積を大きくすることができるので、コンクリート境界ブロック１０を視認しやすくすることができる。
【００３８】
［その他の実施形態］
反射体１４は、樹脂部材１３に入射した光を効率的に反射することができれば、形状は任意である。図５は、反射体１４の変更例を示す断面図である。なお、簡単のため、樹脂部材１３と反射体１４のみを図示する。
【００３９】
図５（Ａ）に示すように、複数の小片を樹脂部材１３中に分散させてもよい。ここで、反射体１４は、２ｍｍ角のアルミニウム箔により形成されている。反射体１４は、乱雑な方向を向いているため、樹脂部材１３に入射した光を広い範囲に反射させることができるので、光源の位置にかかわらずコンクリート境界ブロック１０を視認しやすくすることができる。また、箔状の小片に限定されるものでなく、例えば、粒状部材、粉状部材などを用いることもできる。
【００４０】
反射体１４は、線状の材料で形成することもできる。例えば、図５（Ｂ）に示すように、反射体１４をスチールウールのような綿状に形成することもできる。これによれば、反射体１４の表面が乱雑な方向を向いているため、樹脂部材１３に入射した光を広い範囲に反射させることができるので、光源の位置にかかわらずコンクリート境界ブロック１０を視認しやすくすることができる。
【図面の簡単な説明】
【００４１】
【図１】コンクリート境界ブロックの構造を示す説明図である。図１（Ａ）は、コンクリート境界ブロックを上方から見た斜視図であり、図１（Ｂ）は、図１（Ａ）のＡ−Ａ矢視断面図である。
【図２】コンクリート境界ブロックの製造方法を示す断面図である。
【図３】コンクリート境界ブロックの製造方法を示す断面図である。
【図４】枠部材の形状の変更例を示すコンクリート境界ブロックを上面側から見た平面図である。
【図５】反射体の変更例を示す断面図である。
【符号の説明】
【００４２】
１０    コンクリート境界ブロック
１１    反射部材
１２    枠部材
１２ａ  貫通孔
１２ｂ  壁部
１２ｃ  外周面
１２ｄ  開口部
１２ｅ  開口部
１３    樹脂部材
１４    反射体
１５    コンクリート部材
１５ａ  上面
【図１】
0003143070.tif 000003
【図２】
0003143070.tif 000004
【図３】
0003143070.tif 000005
【図４】
0003143070.tif 000006
【図５】
0003143070.tif 000007
【手続補正書】
【提出日】平成20年4月27日(2008.4.27)
【手続補正１】
【補正対象書類名】実用新案登録請求の範囲
【補正対象項目名】請求項１
【補正方法】変更
【補正の内容】
【請求項１】
光を反射する反射部材が埋設されたコンクリート境界ブロックであって、
前記反射部材は、格子状の貫通孔を有する枠部材と、前記枠部材の貫通孔に充填された透光性を有する樹脂部材と、前記樹脂部材に埋設され、前記樹脂部材に入射した光を反射する反射体と、を備え、
前記枠部材は、格子状の貫通孔を形成する壁部の厚さが、一方の開口部から他方の開口部に向かって連続的に減少するように形成されており、
前記反射部材は、前記枠部材の壁部の厚さが薄い側が外部に露出するように配置されていることを特徴とするコンクリート境界ブロック。